(57)【要約】【課題】美感を確保しながら低コストで製造可能な防火戸及びカーテンウォールユニットを得る。【解決手段】防火戸１００は、戸枠２００と、障子３００とを主に備える。戸枠２００は、上戸枠２１０と、下戸枠２２０と、右縦戸枠２３０と、左縦戸枠２４０とを主に備える。上戸枠２１０の両端は、右縦戸枠２３０及び左縦戸枠２４０の鉛直方向上方の端部に接続され、下戸枠２２０の両端は、右縦戸枠２３０及び左縦戸枠２４０の鉛直方向下方の端部に接続される。障子３００は、上障子枠３１０と、下障子枠３２０と、右縦障子枠３３０と、左縦障子枠３４０と、室内ガラス３５０とを主に備える。上障子枠３１０、下障子枠３２０、右縦障子枠３３０、及び左縦障子枠３４０は、上戸枠２１０、下戸枠２２０、右縦戸枠２３０、及び左縦戸枠２４０と同じ規格の形鋼、例えばＬ−２５×５０×４を適切な長さに切断して成る。【選択図】図５
2019031773.tif 000002
【特許請求の範囲】
【請求項１】
Ｌ字形状の断面を有し、戸枠の少なくとも一部を構成する第１の形材と、
前記第１の形材の断面と同じ形状の断面を有し、障子の少なくとも一部を構成する第２の形材とを備える防火戸であって、
前記第１の形材と前記第２の形材は、同じ形状を有する形材から製作されており、
前記第１の形材と前記第２の形材は、各々のＬ字形状の断面における内角が互いに向きあうように設けられる防火戸。
【請求項２】
前記第２の形材の断面における外角が室内側となるように設けられる請求項１に記載の防火戸。
【請求項３】
前記第１の形材と前記第２の形材が前記防火戸の全周に渡って設けられる請求項１又は２に記載の防火戸。
【請求項４】
室内側における前記第１の形材の見付と前記第２の形材の見付とが同じである請求項１から３のいずれかに記載の防火戸。
【請求項５】
前記第２の形材の室外側に取り付けられる室外側押さえ部材と、前記第２の形材において前記室外側押さえ部材よりも室内側に取り付けられる室内側押さえ部材と、前記室外側押さえ部材と前記室内側押さえ部材との間に設けられる室内ガラスとをさらに備え、前記室内側押さえ部材は着脱可能に前記第２の形材に取り付けられる請求項１から４のいずれかに記載の防火戸。
【請求項６】
前記第１の形材と前記第２の形材との間に設けられる丁番をさらに備え、前記丁番は、前記第２の形材を前記第１の形材に対して旋回自在に設ける請求項１から５のいずれかに記載の防火戸。
【請求項７】
請求項１から６のいずれかに記載の防火戸と、
前記第１の形材が取り付けられる四方枠とを備えるカーテンウォールユニット。
【発明の詳細な説明】
【技術分野】
【０００１】
本発明は、建築物のカーテンウォールユニットに取り付けられる防火戸及び防火戸を備えるカーテンウォールユニットに関する。
【背景技術】
【０００２】
従来、Ｌ字状の断面を有する形鋼を枠材として用いるサッシが知られている。枠材は、サッシの見込み方向に沿って配置された本体部と、この本体部の室外端から本体部に対して直交する一方向、つまり見付け方向に沿った一方向に突出された突出部とを備える。本体部と突出部とが成す角は、室外側に設けられる。そして、枠材と見付け方向に対向するように設けられたＴ字状の断面を有する他の枠材との間に、ドア枠及びドア本体が設けられる。ドア枠は、折曲加工された鋼板又は枠材と異なる形鋼により構成され、一端が見付け方向に突出するように枠材の内側に配置される。これにより、ドア本体が室外側に開閉可能となる（特許文献１参照）。
【先行技術文献】
【特許文献】
【０００３】
【特許文献１】特開平１０−２５２３５６号公報
【発明の概要】
【発明が解決しようとする課題】
【０００４】
ところで、折り曲げ加工された鋼板の外角は、比較的緩い曲線を描くように形成されるため、観者が外角上に直線を認識できない。また、形鋼は鋳造及び圧延により形成されるため、その両端部もまた比較的緩い曲線を描くように形成されるため、外角と同様に、観者が両端部に直線を認識できない。そのため、折り曲げ加工された鋼板の外角や形鋼の両端部を室内側に設けて、設計者が直線的な外観を表現しようとしても、観者が直線的な外観を感じず、これによりドア本体に美感を感じないおそれがある。また、ドア枠の一端が見付け方向に突出するように枠材の内側に配置されると、ドア枠とドア本体の間に丁番を設ける空間が必要となるとともに、丁番が外部に露出し、美感が低下するおそれが生じる。さらに、ドア枠の形鋼とドア本体の形鋼とに異なる形鋼を用いると、製造に必要な部材が増加し、製造コストが上昇するおそれがある。
【０００５】
本発明はこのような課題に鑑みてなされたものであり、美感を確保しながら低コストで製造可能な防火戸及びカーテンウォールユニットを得ることを目的とする。
【課題を解決するための手段】
【０００６】
本願第１の発明による防火戸は、Ｌ字形状の断面を有し、戸枠の少なくとも一部を構成する第１の形材と、第１の形材の断面と同じ形状の断面を有し、障子の少なくとも一部を構成する第２の形材とを備える防火戸であって、第１の形材と第２の形材は、同じ形状を有する形材から製作されており、第１の形材と第２の形材は、各々のＬ字形状の断面における内角が互いに向きあうように設けられることを特徴とする。
【０００７】
第２の形材の断面における外角が室内側となるように設けられることが好ましく、第１の形材と第２の形材が防火戸の全周に渡って設けられてもよい。また、室内側における第１の形材の見付と第２の形材の見付とが同じであることが好ましい。
【０００８】
第２の形材の室外側に取り付けられる室外側押さえ部材と、第２の形材において室外側押さえ部材よりも室内側に取り付けられる室内側押さえ部材と、室外側押さえ部材と室内側押さえ部材との間に設けられる室内ガラスとをさらに備え、室内側押さえ部材は着脱可能に第２の形材に取り付けられることが好ましい。
【０００９】
また、第１の形材と第２の形材との間に設けられる丁番をさらに備え、丁番は、第２の形材を第１の形材に対して旋回自在に設けることが好ましい。
【００１０】
本願第２の発明によるカーテンウォールユニットは、前記防火戸と第１の形材が取り付けられる四方枠とを備えることを特徴とする。
【発明の効果】
【００１１】
本発明によれば、美感を確保しながら低コストで製造可能な防火戸及びカーテンウォールユニットが提供される。
【図面の簡単な説明】
【００１２】
【図１】防火戸を備えるカーテンウォールユニットの正面図である。
【図２】図１のＩＩ−ＩＩ線におけるカーテンウォールユニットの断面図である。
【図３】図１のＩＩＩ−ＩＩＩ線におけるカーテンウォールユニットの断面図である。
【図４】カーテンウォールユニットに取り付けられた防火戸の一部拡大図である。
【図５】カーテンウォールユニットに取り付けられた防火戸の一部拡大図である。
【符号の説明】
【００１３】
１０  カーテンウォールユニット
１１  無目
１２  下枠
１３  右縦枠
１４  左縦枠
１５  複層ガラス
１００  防火戸
２００  戸枠
３００  障子
２００  戸枠
２１０  上戸枠
２２０  下戸枠
２３０  右縦戸枠
２４０左縦戸枠
３００  障子
３１０  上障子枠
３２０  下障子枠
３３０  右縦障子枠
３４０  左縦障子枠
３５０  室内ガラス
７００  丁番
７６０  丁番台座
８００  固定具
【発明を実施するための形態】
【００１４】
本発明の一実施形態による防火戸１００について図１から図５を用いて説明する。図１は、建築物に取り付けられたカーテンウォールユニット１０を室外側から見た図である。防火戸１００はカーテンウォールユニット１０の室内側に取り付けられている。以下、建築物に取り付けられている状態において鉛直方向に沿う長さを高さ、建築物の外壁面と平行かつ水平方向に沿う長さを幅、建築物の外壁面と直角かつ水平方向に沿う長さを厚さという。
【００１５】
図１を参照すると、カーテンウォールユニット１０は、無目１１と、下枠１２と、右縦枠１３と、左縦枠１４と、複層ガラス１５と、上枠１６とを主に備える。無目１１、下枠１２、右縦枠１３、左縦枠１４、及び上枠１６は、各々棒状のアルミ押出材から成る。無目１１及び下枠１２は水平方向に延び、右縦枠１３及び左縦枠１４は鉛直方向に延びる。無目１１の両端は、右縦枠１３及び左縦枠１４の鉛直方向上方の端部に接続され、下枠１２の両端は、右縦枠１３及び左縦枠１４の鉛直方向下方の端部に接続される。無目１１、下枠１２、右縦枠１３、及び左縦枠１４の間に、図示されない押縁を用いて複層ガラス１５が取り付けられる。図２及び３を参照すると、カーテンウォールユニット１０の室内側に防火戸１００が取り付けられる。防火戸１００は、カーテンウォールユニット１０の高さ方向及び幅方向の全長に渡って広がり、無目１１、下枠１２、右縦枠１３、及び左縦枠１４の室内側に取り付けられる。
【００１６】
次に、図４及び５を用いて、防火戸１００について詳細に説明する。図４は、防火戸１００の鉛直方向における上下端部の拡大図であり、図５は防火戸１００の幅方向端部の拡大図である。なお、図５では、簡略化のため、互いに隣接して設けられた２枚の防火戸１００の隣接部分を示している。
【００１７】
防火戸１００は、戸枠２００と、障子３００とを主に備える。戸枠２００は、上戸枠２１０と、下戸枠２２０と、右縦戸枠２３０と、左縦戸枠２４０とを主に備える。上戸枠２１０、下戸枠２２０、右縦戸枠２３０、及び左縦戸枠２４０は、第１の形材であって、長手方向に直角な断面においてＬ字形状を成す同じ規格の形鋼、例えばＬ−２５×５０×４を適切な長さに切断して成る。上戸枠２１０及び下戸枠２２０は水平方向に延び、右縦戸枠２３０及び左縦戸枠２４０は鉛直方向に延びる。上戸枠２１０の両端は、右縦戸枠２３０及び左縦戸枠２４０の鉛直方向上方の端部に接続され、下戸枠２２０の両端は、右縦戸枠２３０及び左縦戸枠２４０の鉛直方向下方の端部に接続される。
【００１８】
上戸枠２１０、下戸枠２２０、右縦戸枠２３０、及び左縦戸枠２４０は、短辺２１１、２２１、２３１、２４１と長辺２１２、２２２、２３２、２４２とから各々構成される。短辺２１１、２２１、２３１、２４１は、カーテンウォールユニット１０の背面すなわち室内側に面するとともに、カーテンウォールユニット１０の外周から内周に向けて延びる。長辺２１２、２２２、２３２、２４２は、カーテンウォールユニット１０の室外側から室内側に水平に延びる。短辺２１１、２２１、２３１、２４１と長辺２１２、２２２、２３２、２４２は、長手方向長さが互いに等しい板状部材である。長手方向に直交する幅方向に対する長さについては、短辺２１１、２２１、２３１、２４１の方が長辺２１２、２２２、２３２、２４２よりも短い。
【００１９】
図４を参照して上戸枠２１０及び下戸枠２２０について詳細に説明する。上戸枠２１０は、短辺２１１の厚さ方向に貫通する皿穴２１３を有する。皿穴２１３は、軸方向に進むにつれて直径が短くなる円錐台形の内周面を有する。また、無目１１は、上戸枠２１０と接触する位置に雌ねじ穴２１を有する。上戸枠２１０の短辺２１１は無目１１と接触し、室内側から皿穴２１３に皿ネジ２１５が挿入される。皿ネジ２１５は皿穴２１３を貫通して雌ねじ穴２１と螺合し、これにより上戸枠２１０が無目１１に固定される。皿穴２１３、皿ネジ２１５、及び雌ねじ穴２１は、無目１１及び上戸枠２１０の幅方向に沿って等間隔又は不等間隔で複数設けられ、これにより上戸枠２１０が無目１１に確実及び強固に固定される。
【００２０】
上戸枠２１０と同様の手段により、下戸枠２２０が下枠１２に固定される。すなわち、下戸枠２２０の短辺２２１が下枠１２と接触し、室内側から皿穴２２３に皿ネジ２２５が挿入される。皿ネジ２２５は皿穴２２３を貫通して雌ねじ穴２２と螺合し、これにより下戸枠２２０が下枠１２に固定される。皿穴２２３、皿ネジ２２５、及び雌ねじ穴２２もまた、下枠１２及び下戸枠２２０の幅方向に沿って等間隔又は不等間隔で複数設けられる。
【００２１】
短辺２１１のうち無目１１と接触する面の裏面に、クロロプレンゴムから成るガスケット２１６が短辺２１１の全長に渡って取り付けられる。ガスケット２１６は、長辺２１２に固定されるＬ字断面のガスケット固定材２１７と短辺２１１とに挟まれて水平方向に対して固定される。同様にして、短辺２２１とガスケット固定材２２７とに挟まれて、クロロプレンゴムから成るガスケット２２６が短辺２２１の全長に渡って取り付けられる。
【００２２】
図５を参照して右縦戸枠２３０及び左縦戸枠２４０について詳細に説明する。上戸枠２１０及び下戸枠２２０と同様の手段により、左縦戸枠２４０が左縦枠１４に固定される。すなわち、左縦戸枠２４０の短辺２４１が左縦枠１４と接触し、室内側から皿穴２４３に皿ネジ２４５が挿入される。皿ネジ２４５は皿穴２４３を貫通して雌ねじ穴２４と螺合し、これにより左縦戸枠２４０が左縦枠１４に固定される。皿穴２４３、皿ネジ２４５、及び雌ねじ穴２４は、左縦枠１４及び左縦戸枠２４０の幅方向に沿って等間隔又は不等間隔で複数設けられる。また、上戸枠２１０及び下戸枠２２０と同様の手段により、右縦戸枠２３０が右縦枠１３に固定される。すなわち、右縦戸枠２３０の短辺２３１が右縦枠１３と接触し、室内側から皿穴２３３に皿ネジ２３５が挿入される。皿ネジ２３５は皿穴２３３を貫通して雌ねじ穴２３と螺合し、これにより右縦戸枠２３０が右縦枠１３に固定される。皿穴２３３、皿ネジ２３５、及び雌ねじ穴２３は、右縦枠１３及び右縦戸枠２３０の幅方向に沿って等間隔又は不等間隔で複数設けられる。ガスケット２３６、２４６は、ガスケット２１６、２２６と同様に、水平方向に対して移動可能となるように、ガスケット固定材２３７、２４７を介して右縦戸枠２３０及び左縦戸枠２４０に各々取り付けられる。以上の構成により、上戸枠２１０、下戸枠２２０、右縦戸枠２３０、及び左縦戸枠２４０が防火戸１００の全周に渡って設けられる。
【００２３】
次に、図４及び５を用いて、障子３００について詳細に説明する。障子３００は、上障子枠３１０と、下障子枠３２０と、右縦障子枠３３０と、左縦障子枠３４０と、室内ガラス３５０とを主に備える。上障子枠３１０、下障子枠３２０、右縦障子枠３３０、及び左縦障子枠３４０は、Ｌ字形状の断面を有する形鋼であって、第２の形材を成す。上障子枠３１０及び下障子枠３２０は水平方向に延び、右縦障子枠３３０及び左縦障子枠３４０は鉛直方向に延びる。上障子枠３１０、下障子枠３２０、右縦障子枠３３０、及び左縦障子枠３４０は、上戸枠２１０、下戸枠２２０、右縦戸枠２３０、及び左縦戸枠２４０と同じ規格の形鋼、例えばＬ−２５×５０×４を適切な長さに切断して成る。
【００２４】
上障子枠３１０、下障子枠３２０、右縦障子枠３３０、及び左縦障子枠３４０は、短辺３１１、３２１、３３１、３４１と長辺３１２、３２２、３３２、３４２とから各々構成される。短辺３１１、３２１、３３１、３４１と長辺３１２、３２２、３３２、３４２は、長手方向長さが互いに等しい板状部材である。長手方向に直交する幅方向に対する長さについては、短辺３１１、３２１、３３１、３４１の方が長辺３１２、３２２、３３２、３４２よりも短い。短辺３１１、３２１、３３１、３４１は、カーテンウォールユニット１０の背面すなわち室内側に面するとともに、カーテンウォールユニット１０の内周から外周に向けて延びる。長辺３１２、３２２、３３２、３４２は、室内側から室外側に延びる。上障子枠３１０の両端は、右縦障子枠３３０及び左縦障子枠３４０の鉛直方向上方の端部に接続され、下障子枠３２０の両端は、右縦障子枠３３０及び左縦障子枠３４０の鉛直方向下方の端部に接続される。
【００２５】
図４を参照して上障子枠３１０及び下障子枠３２０について詳細に説明する。上障子枠３１０には、上障子枠３１０の全長に渡って上押縁４１０及び上アングル材５１０が取り付けられる。上押縁４１０は正方形断面を有する棒状の鋼材であり、断面において平行な二面に渡って貫通する上押縁穴４１１を有する。上押縁穴４１１の一端は、皿穴４１２を成す。皿穴４１２は、皿穴２１３と同様の円錐台形の内周面を有する。上障子枠３１０は、長辺３１２に雌ねじ穴３１３を有する。皿穴４１２から挿入された皿ネジ３１５は、上押縁穴４１１を貫通して雌ねじ穴３１３と螺合し、これにより上押縁４１０が上障子枠３１０に固定される。上アングル材５１０は、長手方向に直交する断面においてＬ字形状を有する鋼材である。上アングル材５１０の一端５１１が、長辺３１２の先端との間に所定の間隔を空けながら鉛直下方に向けて延びるように、上アングル材５１０の他端５１２が長辺３１２の先端に溶接される。
【００２６】
上障子枠３１０と同様に、下障子枠３２０には、下障子枠３２０の全長に渡って下押縁４２０及び下アングル材５２０が取り付けられる。下押縁４２０及び下アングル材５２０の形状は、上押縁４１０及び上アングル材５１０と各々同様であり、上障子枠３１０と同様の手段によって下障子枠３２０に各々取り付けられる。すなわち、皿穴４２２から挿入された皿ネジ３２５が下押縁穴４２１を貫通して雌ねじ穴３２３と螺合し、これにより下押縁４２０が下障子枠３２０に固定される。また、下アングル材５２０の一端５２１が、長辺３２２の先端との間に所定の間隔を空けながらカーテンウォールユニット１０の外周から内周に向けて延びるように、下アングル材５２０の他端５２２が長辺３２２の先端に溶接される。
【００２７】
上アングル材５１０の一端５１１と上押縁４１０との間、及び下アングル材５２０の一端５２１と下押縁４２０との間に、室内ガラス３５０が設けられる。上アングル材５１０の一端５１１と室内ガラス３５０との間、及び下アングル材５２０の一端５２１と室内ガラス３５０との間には、クロロプレンゴムから成る環状のガスケット６１１が上アングル材５１０及び下アングル材５２０の全長に渡って各々取り付けられる。上押縁４１０と室内ガラス３５０との間、及び下押縁４２０と室内ガラス３５０との間には、バックアップ材及びシーリング６１２、６２２が上アングル材５１０及び下アングル材５２０の全長に渡って各々取り付けられる。ガスケット６１１並びにバックアップ材及びシーリング６１２、６２２により、室内ガラス３５０が障子３００に固定される。長辺３２２の外周側に、ガイドローラー６００が取り付けられる。ガイドローラー６００は、車輪と車輪を支持する基部とを備え、基部が長辺３２２に取り付けられる。
【００２８】
図５を参照して右障子枠３３０及び左縦障子枠３４０について詳細に説明する。上障子枠３１０及び下障子枠３２０と同様に、右障子枠３３０には、右障子枠３３０の全長に渡って右押縁４３０及び右アングル材５３０が取り付けられる。右押縁４３０及び右アングル材５３０の形状は、上押縁４１０及び上アングル材５１０と各々同様であり、上障子枠３１０及び下障子枠３２０と同様の手段によって右障子枠３３０に各々取り付けられる。すなわち、皿穴４３２から挿入された皿ネジ３３５が右押縁穴４３１を貫通して雌ねじ穴３３３と螺合し、これにより右押縁４３０が右障子枠３３０に固定される。また、右アングル材５３０の一端５３１が長辺３３２の先端との間に所定の間隔を空けながらカーテンウォールユニット１０の外周から内周に向けて延びるように、右アングル材５３０の他端５３２が長辺３３２の先端に溶接される。上障子枠３１０及び下障子枠３２０と同様に、左縦障子枠３４０には、左縦障子枠３４０の全長に渡って左押縁４４０及び左アングル材５４０が取り付けられる。左押縁４４０及び左アングル材５４０の形状は、上押縁４１０及び上アングル材５１０と各々同様であり、上障子枠３１０及び下障子枠３２０と同様の手段によって左縦障子枠３４０に各々取り付けられる。すなわち、皿穴４４２から挿入された皿ネジ３４５が左押縁穴４４１を貫通して雌ねじ穴３４３と螺合し、これにより左押縁４４０が左縦障子枠３４０に固定される。また、左アングル材５４０の一端５４１が長辺３４２の先端との間に所定の間隔を空けながらカーテンウォールユニット１０の外周から内周に向けて延びるように、左アングル材５４０の他端５４２が長辺３４２の先端に溶接される。以上の構成により、上障子枠３１０、下障子枠３２０、右縦障子枠３３０、及び左縦障子枠３４０が防火戸１００の全周に渡って設けられる。
【００２９】
上アングル材５１０及び下アングル材５２０と同様にして、右アングル材５３０の一端５３１と右押縁４３０との間、及び左アングル材５４０の一端５４１と左押縁４４０との間に、環状のガスケット６１１、バックアップ材及びシーリング６３２、６４２、及び室内ガラス３５０が設けられる。これにより、環状のガスケット６１１は、室内ガラス３５０の全周に渡って設けられる。上アングル材５１０、下アングル材５２０、右アングル材５３０、及び左アングル材５４０は室外側押さえ部材を成し、上押縁４１０、下押縁４２０、右押縁４３０、及び左押縁４４０は、室内側押さえ部材を成す。皿ネジ３１５、３２５、３３５、３４５を着脱することによって、上障子枠３１０、下障子枠３２０、右障子枠３３０、及び左縦障子枠３４０から上押縁４１０、下押縁４２０、右押縁４３０、及び左押縁４４０を各々着脱可能である。これらを各障子枠から取り外すことによって、室内ガラス３５０を室内側から着脱可能となり、これにより室内ガラス３５０を交換できる。
【００３０】
図５を参照して、障子３００を戸枠２００に取り付ける構成について説明する。防火戸１００は、戸枠２００と障子３００とを取り付けるために、丁番７００と、丁番台座７６０と、固定具８００とを備える。丁番７００、丁番台座７６０、及び固定具８００は、防火戸１００の高さ方向に沿って等間隔又は不等間隔で複数設けられる。
【００３１】
丁番７００は、回転部７１０と、回転部７１０を中心に各々旋回可能な第１及び第２の羽根７２０、７３０とを備える。第１及び第２の羽根７２０、７３０は、矩形の板状部材であって、それらの厚さ方向に貫通する第１及び第２の皿穴７２１、７３１を各々備える。皿穴７２１、７３１は円錐台形の内周面を有する。左縦戸枠２４０は、その長辺２４２に雌ねじ穴２４４を有する。第２の皿穴７３１から挿入された皿ネジ２４８は、雌ねじ穴２４４と螺合し、これにより第２の羽根７３０が左縦戸枠２４０に固定される。丁番台座７６０は雌ねじ穴７６１を有し、左縦障子枠３４０に固定される。第１の皿穴７２１から挿入された皿ネジ３４６は雌ねじ穴７６１と螺合し、これにより第１の羽根７２０が左縦障子枠３４０に固定される。左縦障子枠３４０の長辺３４２と左縦戸枠２４０の長辺２４２との間隔は、丁番７００が納まる程度の距離である。これにより、室内側から見たとき、丁番７００が左縦障子枠３４０の見付内に納められて、室内側に露出せず、防火戸１００の美感が向上する。
【００３２】
固定具８００は、固定角鋼材８１０と、固定ボルト８２０と、固定アングル材８３０とを主に備える。固定角鋼材８１０は、直方体形状を有し、互いに直交する２つの側面に雌ねじ穴８１１、８１２を有する。固定アングル材８３０はＬ字形状の断面を有する押出材である。固定アングル材８３０の一辺８３１は右障子枠３３０の長辺３３２に溶接されて固定され、他辺８３２は、その厚さ方向に貫通する穴を有する。右縦戸枠２３０は、その長辺２３２に、長辺２３２の厚さ方向に貫通する皿穴２３４を有する。皿穴２３４は、軸方向に進むにつれて直径が短くなる円錐台形の内周面を有する。皿ネジ２３８は、皿穴２３４を貫通して雌ねじ穴８１１と螺合し、これにより固定角鋼材８１０が右縦戸枠２３０に固定される。固定ボルト８２０は、他辺８３２の穴を貫通して雌ねじ穴８１２と螺合する。これにより、右障子枠３３０が、固定アングル材８３０及び固定角鋼材８１０を介して右縦戸枠２３０に固定される。他方、固定ボルト８２０を外すと、障子３００が戸枠２００に対して丁番７００を中心に旋回可能である。このとき、障子３００の底面にガイドローラー６００が取り付けられているため、障子３００が容易に旋回できる。障子３００が戸枠２００に対して旋回すると、障子３００と複層ガラス１５との間の空間に外部からアクセス可能となり、この空間を容易に清掃又は維持補修等することができる。
【００３３】
次に、図４及び５を用いて、障子３００が戸枠２００に取り付けられた状態について説明する。戸枠２００に取り付けられた障子３００では、上障子枠３１０、下障子枠３２０、右縦障子枠３３０、及び左縦障子枠３４０の外角が室内側に露出する。上障子枠３１０、下障子枠３２０、右縦障子枠３３０、及び左縦障子枠３４０は形鋼から構成されるため、それらの外角は鋭角を成す。そのため、防火戸１００を用いて直線的な外観が表現されうる。また、観者が外角上に直線を認識して、これによりドア本体に美感を感じることが可能となる。
【００３４】
また、室内側から見たとき、上戸枠２１０の短辺２１１の見付と上障子枠３１０の短辺３１１の見付とが同じとなるように、上戸枠２１０と上障子枠３１０とが設置される。これにより、室内側から見たとき、上戸枠２１０と上障子枠３１０との間の鉛直方向に対する間隔（隙間）がなくなるとともに、上戸枠２１０と上障子枠３１０とを合わせた内観見付寸法を最小とすることができ、防火戸１００の美感が向上する。下戸枠２２０の短辺２２１と下障子枠３２０の短辺３２１、右縦戸枠２３０の短辺２３１と右縦障子枠３３０の短辺３３１、及び左縦戸枠２４０の短辺２４１と左縦障子枠３４０の短辺３４１も同様に、室内側からの各々の見付が同じとなるように設置され、これにより、室内側から見たとき、鉛直方向又は水平方向において隙間がなくなるとともに、内観見付寸法を最小とすることができ、防火戸１００の美感が向上する。
【００３５】
本実施形態によれば、美感を確保しながら低コストで製造可能な防火戸１００及びカーテンウォールユニット１０を得る。
【００３６】
また、上戸枠２１０、下戸枠２２０、右縦戸枠２３０、左縦戸枠２４０、上障子枠３１０、下障子枠３２０、右縦障子枠３３０、及び左縦障子枠３４０に形鋼を用いることによって防火性能を確保できるとともに、これらの枠に同じ規格の形鋼を用いることによって、防火戸１００の製造コスト、特に材料コストを抑えることができる。
【００３７】
上アングル材５１０とガスケット２１６、下アングル材５２０とガスケット２２６、右アングル材５３０とガスケット２３６、左アングル材５４０とガスケット２４６が各々接触することによって、防火性能を確保できる。
【００３８】
上障子枠３１０、下障子枠３２０、右縦障子枠３３０、及び左縦障子枠３４０の外角を室内側に設けることによって、直線的な外観を表現可能となり、観者が外角上に直線を認識して、これにより防火戸１００に美感を感じることが可能となる。
【００３９】
また、室内側から見たとき、各戸枠の見付と各障子枠の見付とが同じとなるように設置されるため、戸枠と障子枠とを合わせた見付寸法を最小とすることができ、防火戸１００の美感が向上する。さらに、室内側から見たとき、丁番７００が左縦障子枠３４０の見付内に納められて、室内側に露出せず、防火戸１００の美感が向上する。
【００４０】
なお、丁番４００は左縦障子枠３４０と左縦戸枠２４０との間でなく、右縦障子枠３３０と右縦戸枠２３０との間に設けられてもよい。この場合、固定具８００は左縦障子枠３４０と左縦戸枠２４０の間との間に設けられる。
【００４１】
また、室内側から見たとき、上戸枠２１０の短辺２１１の見付は、上障子枠３１０の短辺３１１の見付と同じでなくてもよく、少なくとも上戸枠２１０の短辺２１１が室内側から見えなくなる程度に、上障子枠３１０の短辺３１１によって覆われていればよい。下戸枠２２０の短辺２２１と下障子枠３２０の短辺３２１、右縦戸枠２３０の短辺２３１と右縦障子枠３３０の短辺３３１、及び左縦戸枠２４０の短辺２４１と左縦障子枠３４０の短辺３４１についても同様である。
【００４２】
なお、本明細書および図中に示した各部材の大きさは例示であって、これらの大きさに限定されない。また、各部材の素材は例示であって、これらの素材に限定されない。ここに付随する図面を参照して本発明の実施形態が説明されたが、記載された発明の範囲と精神から逸脱することなく、変形が各部の構造と関係に施されることは、当業者にとって自明である。
【図１】
2019031773.tif 000003
【図２】
2019031773.tif 000004
【図３】
2019031773.tif 000005
【図４】
2019031773.tif 000006
【図５】
2019031773.tif 000007